(57)【要約】【課題】従来の情報提供装置によれば、適切なタイミングで情報が送信されない場合がある。【解決手段】配信制御装置は、対象物が検出された検出タイミングを検出タイミング保持部に登録する検出タイミング登録部と、検出タイミング保持部に最後に登録された第１検出タイミングと、第１検出タイミングより１つ前に検出タイミング保持部に登録された第２検出タイミングとの登録間隔を特定する登録間隔特定部と、第１検出タイミングから登録間隔が経過した場合に、配信部に、対象物に関連付けられている宛先に情報を配信させる配信制御部とを備える。【選択図】図１
2014087551.tif 000002
【特許請求の範囲】
【請求項１】
対象物が検出された検出タイミングを検出タイミング保持部に登録する検出タイミング登録部と、
前記検出タイミング保持部に最後に登録された第１検出タイミングと、前記第１検出タイミングより１つ前に前記検出タイミング保持部に登録された第２検出タイミングとの登録間隔を特定する登録間隔特定部と、
前記第１検出タイミングから前記登録間隔が経過した場合に、配信部に、前記対象物に関連付けられている宛先に情報を配信させる配信制御部と
を備える配信制御装置。
【請求項２】
撮像された前記対象物を含む画像から前記対象物を検出する対象物検出部をさらに備え、
前記検出タイミング登録部は、前記対象物検出部によって前記対象物が検出されたタイミングを前記検出タイミングとして前記検出タイミング保持部に登録する、請求項１に記載の配信制御装置。
【請求項３】
前記配信制御部は、前記第２検出タイミングから予め定められた期間が経過した場合、および前記第１検出タイミングから前記期間が経過した場合、前記配信部に、前記宛先に前記情報を配信させる、請求項１または請求項２に記載の配信制御装置。
【請求項４】
前記登録間隔特定部は、前記第１検出タイミングより１つ後に前記検出タイミング保持部に登録される第３検出タイミングが、前記第１検出タイミングから予め定められた期間が経過していない場合、前記第１検出タイミングと前記第３検出タイミングとの他の登録間隔を特定し、
前記配信制御部は、前記第３検出タイミングから前記他の登録間隔を経過した場合、前記配信部に、前記宛先に情報をさらに配信させる、請求項１から請求項３のいずれか１つに記載の配信制御装置。
【請求項５】
前記検出タイミング登録部は、前記検出タイミングとして、前記対象物が検出された時刻を前記検出タイミング保持部に登録し、
前記登録間隔特定部は、前記第１検出タイミングが示す時刻と前記第２検出タイミングが示す時刻との差を前記登録間隔として特定し、
前記配信制御部は、前記第１検出タイミングから前記登録間隔が経過した時刻に、前記配信部に前記宛先に前記情報を配信させる、請求項１から請求項４のいずれか１つに記載の配信制御装置。
【請求項６】
前記配信制御部は、前記第１検出タイミングから前記登録間隔が経過した時刻が予め定められた配信可能時刻に該当しない場合、次の配信可能時刻に前記配信部に前記宛先に前記情報を配信させる、請求項５に記載の配信制御装置。
【請求項７】
前記登録間隔特定部は、前記登録間隔として日単位の間隔を特定し、
前記配信制御部は、前記第１検出タイミングから前記登録間隔が経過した日に、前記配信部に前記宛先に前記情報を配信させる、請求項１から請求項４のいずれか１つに記載の配信制御装置。
【請求項８】
前記登録間隔特定部は、前記登録間隔として日単位の間隔を特定し、
前記配信制御部は、前記検出タイミング保持部に登録された検出タイミングに基づいて配信時刻を決定し、前記第１検出タイミングから前記登録間隔が経過した日の前記配信時刻に、前記配信部に前記宛先に前記情報を配信させる、請求項１から請求項４のいずれか１つに記載の配信制御装置。
【請求項９】
前記検出タイミング登録部は、前記対象物が同日に複数回検出された場合、最初の検出タイミングを前記検出タイミング保持部に登録する、請求項１から請求項８のいずれか１つに記載の配信制御装置。
【請求項１０】
請求項１から請求項９のいずれか１つに記載の配信制御装置としてコンピュータを機能させるためのプログラム。
【発明の詳細な説明】
【技術分野】
【０００１】
本発明は、情報の配信を制御する配信制御装置、およびプログラムに関する。
【背景技術】
【０００２】
特許文献１には、遊技客が携帯する携帯情報端末の近距離通信機能を利用することにより、遊技台の遊技データを含むホール情報を遊技客に提供する情報提供システムが開示されている。特許文献２には、情報の種類に応じた送信タイミングで会員に情報を送信する情報提供装置が開示されている。
特許文献１  特開２００３−１０５２０号公報
特許文献２  特開２０００−２１６８１０号公報
【発明の概要】
【発明が解決しようとする課題】
【０００３】
従来の情報提供装置によれば、適切なタイミングで情報が送信されない場合がある。
【課題を解決するための手段】
【０００４】
本発明の一態様に係る配信制御装置は、対象物が検出された検出タイミングを検出タイミング保持部に登録する検出タイミング登録部と、検出タイミング保持部に最後に登録された第１検出タイミングと、第１検出タイミングより１つ前に検出タイミング保持部に登録された第２検出タイミングとの登録間隔を特定する登録間隔特定部と、第１検出タイミングから登録間隔が経過した場合に、配信部に、対象物に関連付けられている宛先に情報を配信させる配信制御部とを備える。
【０００５】
上記配信制御装置は、撮像された対象物を含む画像から対象物を検出する対象物検出部をさらに備え、検出タイミング登録部は、対象物検出部によって対象物が検出されたタイミングを検出タイミングとして検出タイミング保持部に登録してもよい。
【０００６】
上記配信制御装置において、配信制御部は、第２検出タイミングから予め定められた期間が経過した場合、および第１検出タイミングから期間が経過した場合、配信部に、宛先に情報を配信させてもよい。
【０００７】
上記配信制御装置において、登録間隔特定部は、第１検出タイミングより１つ後に検出タイミング保持部に登録される第３検出タイミングが、第１検出タイミングから予め定められた期間が経過していない場合、第１検出タイミングと第３検出タイミングとの他の登録間隔を特定し、配信制御部は、第３検出タイミングから他の登録間隔を経過した場合、配信部に、宛先に情報をさらに配信させてもよい。
【０００８】
上記配信制御装置において、検出タイミング登録部は、検出タイミングとして、対象物が検出された時刻を検出タイミング保持部に登録し、登録間隔特定部は、第１検出タイミングが示す時刻と第２検出タイミングが示す時刻との差を登録間隔として特定し、配信制御部は、第１検出タイミングから登録間隔が経過した時刻に、配信部に宛先に情報を配信させてもよい。
【０００９】
上記配信制御装置において、配信制御部は、第１検出タイミングから登録間隔が経過した時刻が予め定められた配信可能時刻に該当しない場合、次の配信可能時刻に配信部に宛先に情報を配信させてもよい。
【００１０】
上記配信制御装置において、登録間隔特定部は、登録間隔として日単位の間隔を特定し、配信制御部は、第１検出タイミングから登録間隔が経過した日に、配信部に宛先に情報を配信させてもよい。
【００１１】
上記配信制御装置において、登録間隔特定部は、登録間隔として日単位の間隔を特定し、配信制御部は、検出タイミング保持部に登録された検出タイミングに基づいて配信時刻を決定し、第１検出タイミングから登録間隔が経過した日の配信時刻に、配信部に宛先に情報を配信させてもよい。
【００１２】
上記配信制御装置において、検出タイミング登録部は、対象物が同日に複数回検出された場合、最初の検出タイミングを検出タイミング保持部に登録してもよい。
【００１３】
なお、上記の発明の概要は、本発明の必要な特徴の全てを列挙したものではない。また、これらの特徴群のサブコンビネーションもまた、発明となりうる。
【図面の簡単な説明】
【００１４】
【図１】本実施形態に係る情報配信システムの全体構成を示す図である。
【図２】遊技機および台間機の正面図の一例である。
【図３】遊技機および台間機を上から見た概略図である。
【図４】情報配信装置の機能ブロック図である。
【図５】会員情報保持部が保持する会員情報テーブルの一例を示す図である。
【図６】検出タイミング保持部が保持する来店履歴テーブルの一例を示す図である。
【図７】配信情報保持部が保持する配信情報テーブルの一例を示す図である。
【図８】顔画像を取得した場合における情報配信装置の処理手順を示すフローチャートである。
【図９】配信処理を行う場合における情報配信装置の処理手順を示すフローチャートである。
【図１０】来店履歴テーブルを更新する場合における情報配信装置の処理手順を示すフローチャートである。
【発明を実施するための形態】
【００１５】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１６】
図１は、本実施形態に係る情報配信システムの全体構成を示す図である。情報配信システムは、情報配信装置１００および撮像装置１０を備える。情報配信装置１００は、情報制御装置の一例である。情報配信装置１００は、例えば会員情報を保持、管理するデータベースサーバの機能およびメールの配信を行うメールサーバの機能を有するコンピュータである。撮像装置１０は、例えば、遊技機２０および台間機３０が設置されている遊技店に設置される。遊技機２０は、例えば、パチンコ、またはパチスロである。台間機３０は、例えば、入金額に応じた数の貸球を遊技者に提供する貸球機である。
【００１７】
撮像装置１０は、遊技機２０を操作する遊技者などの人物の顔などの特徴部分を含む画像を撮像する。撮像装置１０は、例えば、台間機３０に設置される。撮像装置１０は、人物の特徴部分を含む画像を撮像できる遊技店の入り口付近、計数機付近、景品カウンター付近など任意の場所に設置されうる。
【００１８】
情報配信装置１００は、撮像装置１０から画像を取得し、画像に基づいて、来店してきた遊技者を特定する。情報配信装置１００は、特定された遊技者が会員であれば、その遊技者の会員ＩＤと関連付けて来店日および来店時刻を記録する。情報配信装置１００は、記録された来店日および来店時刻に基づいて遊技者の来店間隔を特定する。そして、情報配信装置１００は、遊技者が最後に来店してから、特定された来店間隔を経過した場合に、その遊技者に関連付けられた宛先に遊技店に関する情報を配信する。
【００１９】
例えば、遊技店に来店中の会員に対して情報を配信するシステムによれば、会員自ら遊技店に来店すれば、有益な情報を得られる。しかしながら、例えば、農作業従事者の場合、農作物を収穫する時期などによって来店頻度が変わる。また、シフト勤務従事者の場合、勤務スケジュールによって来店日時が変わる。このように、生活環境が変化することにより、来店できなくなる会員もいる。このような会員は、来店意欲があるにもかかわらず遊技店に来店できない場合もある。しかし、会員は、来店していないので、遊技店に関する有益な情報を取得できない。したがって、会員は、例えばイベント情報、新機種入れ替え情報などの有益な情報が得られず、来店意欲を低下させかねない。
【００２０】
また、情報を配信するタイミングを予め設定しておき、そのタイミングで情報を配信するシステムによれば、会員の来店頻度または生活環境の変化によって、会員にとって適切なタイミングで情報を取得できない場合がある。例えば、会員にとって望まない時間帯に情報の配信が続くと、会員によっては、情報の受け取りを鬱陶しいと感じ、会員登録の廃止、情報配信の停止などの処理を行ってしまう場合もある。これにより、会員は、有益な情報を取得できず、来店意欲を低下させかねない。
【００２１】
一方、本実施形態に係る情報配信装置１００は、それぞれの会員の来店間隔に応じて、情報の配信タイミングを決定する。したがって、会員の来店頻度または生活環境が変化した場合でも、その会員にとって不適切なタイミングに情報が配信されることを防ぐことができる。
【００２２】
図２は、遊技機２０および台間機３０の正面図の一例である。台間機３０は、撮像装置１０を備える。図３は、遊技機２０および台間機３０を上から見た概略図である。台間機３０に設置された撮像装置１０は、遊技機２０の前に座った遊技者の顔画像を撮像する。
【００２３】
図４は、情報配信装置１００の機能ブロック図である。情報配信装置１００は、対象物検出部１１０、検出タイミング登録部１１２、検出タイミング保持部１１４、登録間隔特定部１１６、配信制御部１１８、会員情報保持部１２０、配信部１３０、および配信情報保持部１３２を備える。
【００２４】
会員情報保持部１２０は、会員に関する情報を保持する。会員情報保持部１２０は、会員の会員ＩＤ、会員の顔画像、会員の年代および性別などの属性、および会員が情報の配信を受け取る宛先を示すメールアドレスなどを関連付けて保持する。会員に関する情報は、会員登録を希望するユーザから提供された情報に基づいて生成され、予め会員情報保持部１２０に登録しておく。
【００２５】
対象物検出部１１０は、撮像装置１０によって撮像された遊技者などの人物の顔などの特徴部分を含む画像から人物を検出する。ここで、人物は、対象物の一例である。対象物検出部１１０は、例えば、撮像された画像の予め定められた領域の画像に含まれる情報と、顔を構成する部位の配置などを定めたパターン情報とをパターンマッチングすることで顔画像を抽出し、人物を検出する。
【００２６】
検出タイミング登録部１１２は、対象物検出部１１０によって対象物が検出されたタイミングを検出タイミングとして検出タイミング保持部１１４に登録する。検出タイミング登録部１１２は、対象物検出部１１０から提供された顔画像に対応する顔画像が会員情報保持部１２０に登録されているか否かを検索する。検索できた場合、検出タイミング登録部１１２は、撮像された人物が会員であると判断して、対応する顔画像に関連付けられている会員ＩＤを特定する。さらに、検出タイミング登録部１１２は、特定された会員ＩＤと、その人物が検出された検出タイミングとして来店日および来店時刻とを関連付けて、検出タイミング保持部１１４に登録する。
【００２７】
例えば、遊技者が遊技機２０を変えることを目的として、遊技店内を移動する場合がある。このような場合、対象物検出部１１０は、同一の人物について同日に複数回その人物を検出する場合がある。そこで、検出タイミング登録部１１２は、同一の人物が同日に複数回検出された場合、最初の検出タイミングを検出タイミング保持部１１４に登録してもよい。
【００２８】
登録間隔特定部１１６は、検出タイミング保持部１１４に最後に登録された第１検出タイミングと、第１検出タイミングより１つ前に検出タイミング保持部１１４に登録された第２検出タイミングとの登録間隔を特定する。登録間隔特定部１１６は、検出タイミング保持部１１４に最後に登録された第１検出タイミングとして、会員が最後に来店した来店日および来店時刻を検出タイミング保持部１１４から取得する。さらに、登録間隔特定部１１６は、第１検出タイミングより１つ前に検出タイミング保持部１１４に登録された第２検出タイミングとして、会員が最後から２番目に来店した来店日および来店時刻を検出タイミング保持部１１４から取得する。そして、登録間隔特定部１１６は、取得した最後の来店日および最後から二番目の来店日のそれぞれの検出タイミングに基づいて、登録間隔として会員の来店間隔を特定する。登録間隔特定部１１６は、特定した登録間隔を、会員ＩＤに関連付けて、検出タイミング保持部１１４に登録する。
【００２９】
なお、登録間隔特定部１１６は、検出タイミング保持部１１４に登録され、登録間隔の特定に利用する検出タイミングのうち、最後に登録された検出タイミングを第１検出タイミングとして用いる。したがって、検出タイミング登録部１１２が、登録間隔の特定に利用する検出タイミングに加えて、登録間隔の特定に利用しない検出タイミングも検出タイミング保持部１１４に登録している場合には、登録間隔特定部１１６は、検出タイミング保持部１１４に最後に登録された検出タイミング以外の検出タイミングを、登録間隔の特定に利用する場合もある。
【００３０】
配信制御部１１８は、第１検出タイミングから登録間隔が経過した場合に、配信部１３０に、対象物である会員に関連付けられている宛先に情報を配信させる。配信制御部１１８は、検出タイミング保持部１１４を参照して、最後の来店日時から現時点までの経過時間が、自身の登録間隔を経過している会員ＩＤを特定する。そして、配信制御部１１８は、経過している会員ＩＤの会員に対して情報を配信するように配信部１３０に指示する。配信部１３０は、配信制御部１１８からの指示に応じて、対象となる会員に対して情報を配信する。
【００３１】
配信制御部１１８は、第２検出タイミングから予め定められた期間、例えば３０日が経過した場合、および第１検出タイミングから予め定められた期間が経過した場合、配信部１３０に、対象となる会員の宛先に情報を配信させてもよい。検出タイミング登録部１１２に登録されている第１検出タイミングおよび第２検出タイミングが更新されていないということは、その会員は、しばらく来店していないことを示す。そこで、予め定められた期間が経過した時点で、配信制御部１１８は、その会員に来店を促すことを目的として、配信部１３０に、その会員に向けて、イベント情報、新機種入れ替え情報など、会員を改めて来店させる気にさせるような情報を配信させる。
【００３２】
また、登録間隔特定部１１６は、第１検出タイミングより１つ後に検出タイミング保持部１１４に登録される第３検出タイミングが、第１検出タイミングから予め定められた期間が経過していない場合、第１検出タイミングと第３検出タイミングとの他の登録間隔を特定する。言い換えれば、登録間隔特定部１１６は、第１検出タイミングより１つ後に検出タイミング保持部１１４に登録される第３検出タイミングが、第１検出タイミングから予め定められた期間が経過している場合、第１検出タイミングと第３検出タイミングとの他の登録間隔を特定しない。つまり、登録間隔特定部１１６は、第１検出タイミングより１つ後に検出タイミング保持部１１４に登録される第３検出タイミングが、第１検出タイミングから予め定められた期間が経過していない場合のみ、第１検出タイミングと第３検出タイミングとの他の登録間隔を特定する。そして、配信制御部１１８は、登録間隔特定部１１６が当該他の登録間隔を特定した場合には、第３検出タイミングから他の登録間隔を経過した場合、配信部１３０に、宛先に情報をさらに配信させる。
【００３３】
例えば、第１検出タイミングより予め定められた期間、例えば、３０日経過した後に、会員が改めて来店した場合、登録間隔特定部１１６は、その時に検出される第３検出タイミングと、会員が改めて来店した日の１回前に来店したときに検出された第１検出タイミングとの登録間隔を特定しない。
【００３４】
登録間隔特定部１１６は、定期的に、例えば、一日毎に、検出タイミング保持部１１４を参照して、検出された日から予め定められた期間を経過した検出タイミングを検出タイミング保持部１１４から削除または無効化することにより、その検出タイミングを登録間隔の特定に利用する検出タイミングから除外する。これにより、登録間隔特定部１１６は、第１検出タイミングより１つ後に検出タイミング保持部１１４に登録される第３検出タイミングが、第１検出タイミングから予め定められた期間が経過していない場合のみ、第１検出タイミングと第３検出タイミングとの他の登録間隔を特定できる。
【００３５】
登録間隔特定部１１６は、第１検出タイミングが示す時刻と第２検出タイミングが示す時刻との差を登録間隔として特定してもよい。この場合、配信制御部１１８は、第１検出タイミングから登録間隔が経過した時刻に、配信部１３０に対象の会員に関連付けられた宛先に情報を配信させてもよい。ここで、配信制御部１１８は、第１検出タイミングから登録間隔が経過した時刻が予め定められた配信可能時刻に該当しない場合、次の配信可能時刻に配信部１３０に対象の会員に関連付けられた宛先に情報を配信させてもよい。例えば、第１検出タイミングから登録間隔が経過した時刻が、深夜、早朝など会員が情報を受け取る時刻として不適切な時刻に該当する場合がある。このような場合には、配信制御部１１８は、配信部１３０への情報の配信の指示を保留にしておき、適切な時刻になった時点で、配信部１３０に情報の配信を指示してもよい。
【００３６】
また、登録間隔特定部１１６は、登録間隔として日単位の間隔を特定してもよい。この場合、配信制御部１１８は、第１検出タイミングから登録間隔が経過した日に、配信部１３０に対象の会員に関連付けられた宛先に情報を配信させてもよい。また、配信制御部１１８は、検出タイミング保持部１１４に登録された検出タイミングに基づいて配信時刻を決定し、第１検出タイミングから登録間隔が経過した日の配信時刻に、情報を配信させてもよい。配信制御部１１８は、例えば、第１検出タイミングが示す時刻、つまり、会員が最後に来店した日の来店時刻を配信時刻として決定してもよい。あるいは、配信制御部１１８は、第１検出タイミングが示す時刻より予め定められた時間前または後の時刻を配信時刻として決定してもよい。もしくは、配信制御部１１８は、第１検出タイミングが示す時刻および第２検出タイミングが示す時刻のうちより早いほうの一方の時刻を配信時刻として決定してもよい。
【００３７】
図５は、会員情報保持部１２０が保持する会員情報テーブルの一例である。会員情報テーブルは、会員ＩＤが登録される会員ＩＤフィールド、会員の顔画像が登録される顔画像フィールド、会員の年代および性別が登録される属性フィールド、および会員のメールアドレスが登録されるメールアドレスフィールドを有する。配信部１３０は、会員情報テーブルを参照することにより、対象の会員に対するメールアドレスを特定し、特定されたメールアドレス宛に情報を配信する。
【００３８】
図６は、検出タイミング保持部１１４が保持する来店履歴テーブルの一例である。来店履歴テーブルは、会員ＩＤが登録される会員ＩＤフィールド、検出タイミングが登録される検出タイミングフィールド、登録間隔が登録される登録間隔フィールド、および情報が配信されたか否かが登録される送信フラグフィールドを有する。検出タイミングフィールドには、会員である人物が検出された検出タイミングとして、その人物が最後に来店した日の検出タイミングである第１検出タイミングと、その人物が最後から１回前に来店した日の検出タイミングである第２検出タイミングとが登録される。また、登録間隔フィールドには、検出タイミングフィールドに登録された第１検出タイミングと第２検出タイミングとの間隔を示す登録間隔が登録される。
【００３９】
図７は、配信情報保持部１３２が保持する配信情報テーブルの一例である。配信情報テーブルは、情報を配信する年代および性別などを含む属性が登録される属性フィールド、および属性に応じた配信内容が登録される配信内容フィールドを有する。配信部１３０は、配信情報テーブルを参照して、対象の会員の属性に関連付けられている配信内容を特定し、特定された配信内容を、例えば電子メールにより会員が所有する携帯端末に配信する。なお、配信部１３０は、会員の属性によらず、すべての会員に対して同一の内容を示す情報を配信してもよい。
【００４０】
図８は、顔画像を取得した場合における情報配信装置１００の処理手順を示すフローチャートである。
【００４１】
対象物検出部１１０は、撮像装置１０によって撮像された画像と、当該画像が撮像された年月日時分秒を含む時刻情報とを取得する。対象物検出部１１０は、撮像装置１０から取得した画像から顔画像を取得し、顔画像を検出タイミング登録部１１２に提供する（Ｓ１００）。検出タイミング登録部１１２は、会員情報保持部１２０を参照することで、取得した顔画像に対応する会員ＩＤが会員情報保持部１２０に登録されているか否かを判定する（Ｓ１０２）。
【００４２】
対応する会員ＩＤが登録されていない場合、情報配信装置１００は、処理を終了する。対応する会員ＩＤが登録されている場合、検出タイミング登録部１１２は、検出タイミング保持部１１４を参照して、対応する会員ＩＤについて登録されている検出タイミングが０件か否かを判定する（Ｓ１０４）。０件の場合、検出タイミング登録部１１２は、対応する会員ＩＤに関連付けて、会員である人物が対象物検出部１１０によって検出された新しい検出タイミングを第１検出タイミングとして検出タイミング登録部１１２に登録する。検出タイミング登録部１１２は、撮像装置１０から取得した時刻情報から会員の来店日および来店時刻を特定し、特定された来店日および来店時刻を対象物検出部１１０によって検出された検出タイミングとして検出タイミング登録部１１２に登録してもよい。
【００４３】
次いで、登録間隔特定部１１６は、対応する会員ＩＤに関連付けて、登録間隔、つまり来店間隔を０時間と特定し（Ｓ１０８）、特定した登録間隔を検出タイミング保持部１１４に登録する（Ｓ１１０）。また、登録間隔特定部１１６は、対応する会員ＩＤの送信フラグを「未送信」にセットする。
【００４４】
一方、対応する会員ＩＤについて登録されている検出タイミングが０件ではない場合、検出タイミング登録部１１２は、検出タイミング保持部１１４に登録されている検出タイミングが１件か否か、つまり対応する会員ＩＤに関連付けて第１検出タイミングのみが検出タイミング保持部１１４に登録されているか否かを判定する（Ｓ１１２）。
【００４５】
登録されている検出タイミングが１件の場合、検出タイミング登録部１１２は、新しい検出タイミングの来店日がすでに第１検出タイミングとして登録される検出タイミングの来店日と異なるか否かを判定する（Ｓ１１４）。同日の場合、検出タイミング登録部１１２は、新しい検出タイミングを登録間隔の特定に利用する検出タイミングとして検出タイミング保持部１１４に登録しない。すでに登録されている検出タイミングと新しい検出タイミングとが同日の場合、検出タイミング登録部１１２は、新しい検出タイミングを破棄してもよい。
【００４６】
一方、異なる日の場合、検出タイミング登録部１１２は、新しい検出タイミングを第１検出タイミングとして検出タイミング保持部１１４に登録し、第１検出タイミングとして登録されていた前回の検出タイミングを第２検出タイミングとして検出タイミング保持部１１４に登録する（Ｓ１１６）。そして、登録間隔特定部１１６は、第１検出タイミングと第２検出タイミングとに基づいて、会員の来店間隔として登録間隔を特定する（Ｓ１１８）。登録間隔特定部１１６は、特定した登録間隔を、対応する会員ＩＤに関連付けて検出タイミング保持部１１４に登録する（Ｓ１１０）。
【００４７】
登録されている検出タイミングが１件でない場合、つまり、登録されている検出タイミングが２件の場合、まず検出タイミング登録部１１２は、新しい検出タイミングの来店日がすでに第１検出タイミングとして登録される検出タイミングの来店日と異なるか否かを判定する（Ｓ１２０）。同日の場合、検出タイミング登録部１１２は、新しい検出タイミングを登録間隔の特定に利用する検出タイミングとして検出タイミング保持部１１４に登録しない。
【００４８】
一方、異なる日の場合、検出タイミング登録部１１２は、検出タイミング保持部１１４に第２検出タイミングとして登録されていた検出タイミングを、登録間隔の特定に利用する検出タイミングから除外する。検出タイミング登録部１１２は、検出タイミング保持部１１４に第２検出タイミングとして登録されていた検出タイミングを削除する。さらに、検出タイミング登録部１１２は、すでに第１検出タイミングとして登録された検出タイミングを第２検出タイミングとして検出タイミング保持部１１４に登録する。加えて、検出タイミング登録部１１２は、新しい検出タイミングを第１検出タイミングとして検出タイミング保持部１１４に登録する（Ｓ１２２）。そして、登録間隔特定部１１６は、第１検出タイミングと第２検出タイミングとに基づいて、会員の来店間隔として登録間隔を特定する（Ｓ１２４）。登録間隔特定部１１６は、特定した登録間隔を、対応する会員ＩＤに関連付けて検出タイミング保持部１１４に登録する（Ｓ１１０）。
【００４９】
以上の処理により、検出タイミング登録部１１２は、会員が最後に来店した来店日の検出タイミングと、会員が最後から２番目に来店した来店日の検出タイミングとを、登録間隔の特定に利用する検出タイミングとして検出タイミング保持部１１４に登録する。登録間隔特定部１１６は、登録間隔の特定に利用する検出タイミングとして検出タイミング保持部１１４に登録されている２つの検出タイミングに基づいて、会員の来店間隔として登録間隔を特定し、検出タイミング保持部１１４に登録する。
【００５０】
図９は、配信処理を行う場合における情報配信装置１００の処理手順を示すフローチャートである。情報配信装置１００は、配信処理を例えば１時間毎に行う。情報配信装置１００は、配信処理を予め定められた曜日の予め定められた時間に行ってもよい。
【００５１】
配信制御部１１８は、検出タイミング保持部１１４を参照して、送信フラグが「未送信」で登録間隔が「０時間」以外の会員ＩＤを抽出する（Ｓ２００）。配信制御部１１８は、抽出された会員ＩＤから任意の処理対象の会員ＩＤを特定する（Ｓ２０２）。配信制御部１１８は、処理対象の会員ＩＤに関連付けられている第１検出タイミングの来店時刻と現在時刻との差分を算出することで、その会員ＩＤに対応する会員が、最後に来店してからの経過時間を特定する（Ｓ２０４）。
【００５２】
配信制御部１１８は、特定した経過時間の大きさが、処理対象の会員ＩＤに関連付けられている登録間隔の大きさ以上か否かを判定する（Ｓ２０６）。経過時間の大きさが登録間隔の大きさより小さい場合、つまり、その会員が最後に来店してから登録間隔を経過していない場合、その会員には情報を配信せず、配信制御部１１８は、抽出されたすべての会員ＩＤについて処理が終了したかどうかを判定する（Ｓ２１２）。終了していなければ、処理が終了していない会員ＩＤについてステップＳ２０２以降の処理を実行する。
【００５３】
経過時間の大きさが登録間隔の大きさ以上の場合、つまり、その会員が最後に来店してから登録間隔を経過している場合、配信制御部１１８は、その会員ＩＤに対して情報を配信することを配信部１３０に指示する。配信部１３０は、その指示を受けて、会員情報保持部１２０を参照して、その会員ＩＤに関連付けられているメールアドレスおよび属性を特定し、配信情報保持部１３２を参照して、特定した属性に関連付けられている配信内容を特定する。配信部１３０は、特定したメールアドレス宛に特定した配信内容を配信する（Ｓ２０８）。
【００５４】
配信制御部１１８は、配信部１３０に情報の配信を指示した後、処理対象の会員ＩＤの送信フラグを「送信済み」に変更する（Ｓ２１０）。そして、配信制御部１１８は、抽出されたすべての会員ＩＤについて処理が終了したかどうかを判定する（Ｓ２１２）。終了していなければ、処理が終了していない会員ＩＤについてステップＳ２０２以降の処理を実行する。
【００５５】
以上の通り、本実施形態に係る情報配信装置１００によれば、それぞれの会員が最後に来店してから、それぞれの会員の来店間隔が経過した場合に、情報が配信される。したがって、会員の来店頻度または生活環境の変化した場合でも、その会員にとって不適切なタイミングに情報が配信されることを防ぐことができる。
【００５６】
図１０は、検出タイミング保持部１１４が保持する来店履歴テーブルを更新する場合における情報配信装置１００の処理手順を示すフローチャートである。情報配信装置１００は、例えば、１日毎に来店履歴テーブルを更新する。
【００５７】
検出タイミング登録部１１２は、検出タイミング保持部１１４を参照して、検出タイミングが登録されている会員ＩＤを抽出する（Ｓ３００）。検出タイミング登録部１１２は、抽出された会員ＩＤから任意の処理対象の会員ＩＤを特定する（Ｓ３０２）。検出タイミング登録部１１２は、処理対象の会員ＩＤの検出タイミングの来店日と現在年月日との差分を特定する（Ｓ３０４）。処理対象の会員ＩＤに関連付けて第１検出タイミングおよび第２検出タイミングが登録されている場合には、検出タイミング登録部１１２は、第１検出タイミングより前に登録された第２検出タイミングを処理対象の検出タイミングとして、その検出タイミングの来店日と現在年月日との差分を特定する。
【００５８】
次いで、検出タイミング登録部１１２は、特定された差分が予め定められた期間である３０日以上か否かを判定する（Ｓ３０６）。差分が３０日より小さい場合、つまり、処理対象の検出タイミングの来店日から３０日を経過していない場合、処理対象の会員ＩＤについて検出タイミングの更新はしない。処理対象の検出タイミングが第１検出タイミングの場合、差分が３０日を経過していない場合のみ、登録間隔特定部１１６は、処理対象の検出タイミングと、処理対象の検出タイミングより後に検出タイミング保持部１１４に登録される新たな検出タイミングとの登録間隔を特定する。そして、検出タイミング登録部１１２は、抽出されたすべての会員ＩＤについて処理が終了したかどうかを判定する（Ｓ３１２）。終了していなければ、処理が終了していない会員ＩＤについてステップＳ３０２以降の処理を実行する。
【００５９】
差分が３０日以上の場合、つまり、処理対象の検出タイミングの来店日から３０日以上を経過している場合、検出タイミング登録部１１２は、処理対象の会員ＩＤに向けて情報を配信することを指示するように配信制御部１１８に依頼する。配信制御部１１８は、依頼を受けて、配信部１３０に処理対象の会員ＩＤに向けて情報を配信するよう指示をする。配信部１３０は、支持を受けて、処理対象の会員ＩＤに関連付けられた宛先に情報を配信する（Ｓ３０８）。また、検出タイミング登録部１１２は、処理対象の検出タイミングを登録間隔の利用に用いる候補から除外すべく、処理対象の検出タイミングを検出タイミング保持部１１４から削除する（Ｓ３１０）。これにより、処理対象の検出タイミングが第１検出タイミングの場合、差分が３０日を経過していれば、登録間隔特定部１１６は、処理対象の検出タイミングと、処理対象の検出タイミングより後に検出タイミング保持部１１４に登録される新たな検出タイミングとの登録間隔を特定しない。処理対象の検出タイミングを削除した後、検出タイミング登録部１１２は、抽出されたすべての会員ＩＤについて処理が終了したかどうかを判定する（Ｓ３１２）。終了していなければ、処理が終了していない会員ＩＤについてステップＳ３０２以降の処理を実行する。
【００６０】
以上の通り、登録されてから予め定められた期間が経過した検出タイミングは、随時、検出タイミング保持部１１４から削除される。検出タイミングが登録されてから予め定められた期間、例えば３０日が経過している場合には、会員がしばらく来店していないことを示す。そこで、会員に再び来店してもらうことを目的として、情報配信装置１００は、検出タイミングを削除するタイミングで、その会員に対してイベント情報、新機種入れ替え情報などの有益な情報を配信する。これにより、しばらく来店していない会員に来店を促すことができる。
【００６１】
なお、本実施形態に係る情報配信装置１００が備える各部は、配信タイミングの決定、および配信に関する各種処理を行うプログラムをインストールし、このプログラムをコンピュータに実行させることで、構成してもよい。つまり、コンピュータに配信タイミングの決定および配信に関する各種処理を行うプログラムを実行させることにより、情報配信装置１００が備える各部としてコンピュータを機能させることで、情報配信装置１００を構成してもよい。
【００６２】
コンピュータはＣＰＵ、ＲＯＭ、ＲＡＭ、ＥＥＰＲＯＭ（登録商標）等の各種メモリ、通信バス及びインタフェースを有し、予めファームウェアとしてＲＯＭに格納された処理プログラムをＣＰＵが読み出して順次実行することで、情報配信装置１００として機能する。
【００６３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００６４】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００６５】
１０  撮像装置
２０  遊技機
３０  台間機
１００  情報配信装置
１１０  対象物検出部
１１２  検出タイミング登録部
１１４  検出タイミング保持部
１１６  登録間隔特定部
１１８  配信制御部
１２０  会員情報保持部
１３０  配信部
１３２  配信情報保持部
【図１】
2014087551.tif 000003
【図２】
2014087551.tif 000004
【図３】
2014087551.tif 000005
【図４】
2014087551.tif 000006
【図５】
2014087551.tif 000007
【図６】
2014087551.tif 000008
【図７】
2014087551.tif 000009
【図８】
2014087551.tif 000010
【図９】
2014087551.tif 000011
【図１０】
2014087551.tif 000012